(57)【要約】【課題】  使用者が横臥するマット本体に、マッサージ機構、または電位治療機構、或いは温熱治療機構の少なくともいずれか一つを内蔵して、リモートコントロール装置により機構操作できるようにした健康マットであり、室内環境が暗くてもマット本体上で横臥した使用者がリモートコントロール装置の存在場所を容易に確認でき、操作性を向上させるようにした健康マットを提供する。【解決手段】  マット本体１ａの前記リモートコントロール装置５ａに発光体５４ａを具備させると共に、前記マット本体１ａの人体平均手長範囲の外周側面部１２ａに発光体５４ａを発光させる発光体作動スイッチ８ａを設け、該発光体作動スイッチ８ａに対する使用者の手の接触によりこれを作動させて発光体５４ａが発光するように構成する。【選択図】  図１
2008036093.tif 000002
【特許請求の範囲】
【請求項１】
使用者に各種マッサージ動作を付与しうるマッサージ機構、または電位治療機構、或いは温熱治療機構の少なくとも何れか一つをマット本体に内蔵すると共に、これらの何れかの機構の操作を使用者が伏臥状態や仰臥状態或いは横臥状態でも行えるようにしたリモートコントロール装置を備えている健康マットにおいて、前記リモートコントロール装置に発光体を具備させると共に、前記マット本体の人体平均手長範囲の外周側面部に発光体を発光させる発光体作動スイッチを設け、該発光体作動スイッチに対する使用者の手の接触によりこれを作動させて発光体が発光するように構成した事を特徴とする健康マット。
【請求項２】
前記発光体は、発光体作動スイッチが作動したときに発光状態を維持し、所定時間経過後に発光状態が自動停止して消灯状態にすることができるようにしてある事を特徴とする請求項１記載の健康マット。
【請求項３】
前記リモートコントロール装置に、リモートコントロール装置の発光体を発光させる発光体作動スイッチが設けられていることを特徴とする請求項１記載の健康マット。
【発明の詳細な説明】
【技術分野】
【０００１】
本発明は、使用者が横臥するマット本体に、マッサージ機構、または電位治療機構、或いは温熱治療機構の少なくともいずれか一つを内蔵して、リモートコントロール装置により操作するよう構成した健康マットに関するものである。
【背景技術】
【０００２】
従来より、体質改善や病状緩和、さらには疲労回復などの効果・効能をもたらす機構を具備させて、健康増進を図った健康マットが存在しており、例えば、有クッション性のマット本体に複数の膨縮袋を内装して、空気給排装置により各膨縮袋を同時或いは順次に膨縮させて適宜の押圧施療を行い得るマッサージ機構を具備した商品が開発され、既に商品化されている。
【０００３】
このようなマッサージ機構を具備した健康マットの開示例として、図１３及び図１４に示すような健康マットがある。すなわち、所定の厚みを有するマット本体１０の内部に、複数の短冊状の空気袋１８ａ〜１８ｈが設けられており、これら空気袋１８ａ〜１８ｈのうち、空気袋１８ａは人体の頚に、空気袋１８ｂは人体の肩に、空気袋１８ｃ〜１８ｇは人体の腰から大腿部に、空気袋１８ｈは人体の下腿部にそれぞれ対応している。また、各空気袋１８ａ〜１８ｈには内部ホース１９ａ〜１９ｈの一端が連結されている。
【０００４】
この内部ホース１９ａ〜１９ｈの他端は、接続部１７を介してホース部３の各エアホースに１対１で対応して連結されている。従って、装置本体２０の給排気装置からの空気は、給排気装置に選択制御されつつホース部３及び内部ホース１９ａ〜１９ｈを介して各空気袋１８ａ〜１８ｈに独立的に供給される。
【０００５】
装置本体２０は、その正面に操作表示部２１が設けられていると共に、一方の側面には配線ケーブル２の一端が接続される接続部２０ａとホース部３の一端が接続される接続部２０ｂとが設けられ、他方の側面には装置本体２０に電源を供給するための配線コード２０ｃが接続されている。
【０００６】
この操作表示部２１には、各種機能を遠隔操作することも出来るリモートコントロール装置２３が配設されている。このリモコン装置２３は、正面凹部２１ａ内の上下壁部に形成された係止爪によって、着脱可能に係止されるリモコン送信機と、この凹部２１ａ内に配設され、前記リモコン送信機からの送信信号を受信する受信部とから主に構成されている。
【０００７】
また、このようなマッサージ機構を具備した健康マットの他にも、マット本体内部において、電位治療用として電位線または導子電極を内設した電位治療機構、さらに、温熱治療用として発熱体を内設した温熱治療機構を適宜内装した構成のものも既存しており、この電位治療機構は、体内バランスを良くし、慢性便秘、頭痛、不眠症、肩こり等に効果・効能を有し、また温熱治療機構は、血行の促進や、疲労の回復、筋肉疲労の回復、神経痛を和らげる、胃腸の働きを活発にする等の効果・効能を有するものである。
【０００８】
電位治療機構及び温熱治療機構を備えた健康マットの開示例として、図１５に示すような構成のものがあげられる。すなわち、１は寝具として使用可能な緩衝体で、この上に人体が仰臥し、２は緩衝体１を覆う表布である。６は温熱手段で、緩衝体１内に設置されているが、コード状のヒータが蛇行して配置され、緩衝体１を加熱するものである。７は電位手段で、マイナスの高電圧を印加して電位治療を行うものであり、電位線よりなるもので、ヒータ線の内部に絶縁層を介して配設されているものである。
【０００９】
１５はコントローラ（リモートコントロール装置）で、電源ユニットから分岐し、緩衝体１から配線ケーブルを介して分離して設けられており、内部にはマイコンで構成された制御手段と、上面には操作キーが設けてあり、使用者の操作により温熱手段６と電位手段７等を制御するものである。
【特許文献１】特開平０６−３３５４９４号公報（第６頁、図３及び図４）
【特許文献２】特開２００５−０２１４６５号公報（第１６頁、図１）
【発明の開示】
【発明が解決しようとする課題】
【００１０】
ところで、健康マットに設けられたリモートコントロール装置については、上記の通り、マット本体適所から配線ケーブルを介して取り付ける形態や、または配線ケーブルを必要としない遠隔操作が可能なケーブルレスの形態などのものがあり、使用者がどのような姿勢であっても、リモートコントロール装置を操作し易くしている。
【００１１】
しかしながら、この種の健康マットは、就寝と並行して使用される場合が多く、室内照明を暗くした環境のもとでマッサージや治療を行う場合、リモートコントロール装置をどこに置いたのかが使用者にとって分かりづらく、手探りで探すか、または、リモートコントロール装置の配線ケーブルを手繰り寄せるかをして、リモートコントロール装置を手にして操作を行っていた。
【００１２】
また、そのような暗い環境では、リモートコントロール装置のキー操作部が見え難く、操作を誤ってしまう事も懸念されていた。
【００１３】
そのため、使用者はマッサージや治療に専念できず、ストレスを生じさせて睡眠に入るのを妨げるなど、健康マットの目的または効果を減少させてしまうという問題があった。
【００１４】
そこで、本発明は、上記問題点を解消する為に成されたものであり、室内の照明環境が良くない暗い状態でもマット本体上で横臥した使用者がリモートコントロール装置の存在場所を容易に知る事ができると共に、リモートコントロール装置の操作性を向上させた健康マットを提供する事を目的とするものである。
【課題を解決するための手段】
【００１５】
すなわち、本発明の健康マットは、使用者に各種マッサージ動作を付与しうるマッサージ機構、または電位治療機構、或いは温熱治療機構の少なくとも何れか一つをマット本体に内蔵すると共に、これらの何れかの機構の操作を使用者が伏臥状態や仰臥状態或いは横臥状態でも行えるようにしたリモートコントロール装置を備えている健康マットであって、前記リモートコントロール装置に発光体を具備させると共に、前記マット本体の人体平均手長範囲の外周側面部に発光体を発光させる発光体作動スイッチを設け、該発光体作動スイッチに対する使用者の手の接触によりこれを作動させて発光体が発光するように構成したものである。
【００１６】
また、本発明の健康マットは、前記発光体が、発光体作動スイッチが作動したときに発光状態を維持し、所定時間経過後に発光状態が自動停止して消灯状態にすることができるよう構成するのが望ましい。
【００１７】
さらに、本発明の健康マットは、前記リモートコントロール装置に、リモートコントロール装置の発光体を発光させる発光体作動スイッチを設けた構成にできる。
【発明の効果】
【００１８】
よって、本発明の健康マットは、前記リモートコントロール装置に発光体を具備させると共に、前記マット本体の人体平均手長範囲の外周側面部に発光体を発光させる発光体作動スイッチを設け、該発光体作動スイッチに対する使用者の手の接触によりこれを作動させて発光体が発光するように構成したものである為、室内照明を暗くした環境のもとで、使用者がマット本体に仰向け姿勢の状態やうつ伏せ姿勢の状態の他、横たわった姿勢の状態であっても、発光体作動スイッチに容易に手が届いて作動させる事ができ、該発光体作動スイッチの作動により、リモートコントロール装置に具備した発光体を発光させて、リモートコントロール装置の存在場所を明確に知る事ができる。また、該発光体がリモートコントロール装置のキー操作部を明るく照らして、操作性を容易にする事ができる。
【００１９】
また、本発明の健康マットは、前記発光体が、発光体作動スイッチが作動したときに発光状態を維持し、所定時間経過後に発光状態が自動停止して消灯状態にすることができるよう構成する事により、発光体が不必要に発光を継続する事なく、省電力となる。
【００２０】
さらに、本発明の健康マットは、前記リモートコントロール装置に、リモートコントロール装置の発光体を発光させる発光体作動スイッチを設ける事により、リモートコントロール装置を持った手元でリモートコントロール装置に備えられた発光体作動スイッチを任意に操作して発光体を発光させる事ができるので、わざわざマット本体の側面部に設けた発光体作動スイッチに手を伸ばさなくてもよくなる。
【発明を実施するための最良の形態】
【００２１】
以下に、本発明の健康マットを、図面に示す一実施形態に基づきこれを詳細に説明する。図１は本発明の健康マットの一実施形態を示す斜視図であり、図２及び図３は本発明の健康マットの一実施形態を示す使用状態説明図であり、図４は本発明の健康マットにおける発光体作動スイッチとリモートコントロール装置の発光体及びキー操作部との関連動作に関する一実施形態を示すブロック図であり、図５乃至図１１は本発明の健康マットにおける発光体を備えたリモートコントロール装置の一実施形態を示す正面説明図であり、図１２は本発明の健康マットにおける発光体作動スイッチを備えたリモートコントロール装置の一実施形態を示す正面説明図であり、図１３乃至図１５は従来技術を示す参考図である。
【００２２】
すなわち、本発明の健康マットは、図１及び図２の実施形態で示したように、使用者に各種マッサージ動作を付与しうるマッサージ機構２ａ、または電位治療機構３ａ、或いは温熱治療機構４ａの少なくとも何れか一つを有クッション性のマット本体１ａに内蔵すると共に、これらの何れかの機構の操作を使用者が伏臥状態や仰臥状態或いは横臥状態でも行えるようにしたリモートコントロール装置５ａを備えて構成したものである。
【００２３】
前記マット本体１ａは、平坦矩形状であり、図２に示すように、使用者の頭部から足先部までの全身を十分に載せられる大きさに形成している。尚、複数の使用者が使用するタイプのものであれば、マット本体１ａの幅を広げて大きく形成できる。尚、使用者よりも小さなタイプの部分的なマット体でもよい。
【００２４】
前記マット本体１ａの表面には、表布１１ａを張設しており、その内部には通気性と放湿性に優れ、また、体圧を分散する事ができるクッション性の繊維素材（図示せず）や、非クッション性の保形部材（図示せず）などからなる、複数の内部層を構成するものとしている。
【００２５】
前記マット本体１ａの内部適所において、前記各マッサージ機構２ａ、電位治療機構３ａ、温熱治療機構４ａなどを含む前記マット本体１ａの全ての電源供給を一局集中的に入切する回路が内蔵された電源ユニット６ａを設けており、図１の形態では、マット本体１ａにおける外周側面部１２ａに該電源ユニット６ａを内設させている。
【００２６】
また、前記電源ユニット６ａの前記マット本体１ａの外周側面部１２ａに面する部分には、主電源スイッチ６１ａを設け、該主電源スイッチ６１ａによりマット本体１ａの全電源供給を入切するようにしている。
【００２７】
前記マッサージ機構２ａは、前記マット本体１ａの前記内部層の適層間、または前記表布１１ａと前記内部層との間に設けられるものであるが、例として、図１に示すのは、マット本体１ａ内部における使用者の足側付近に、エアコンプレッサ及び空気分配器を有する空気給排装置２２ａを内設すると共に、該空気給排装置２２ａによる給排気によりエアホース（図示せず）を介して膨縮する複数の膨縮袋２１ａを、前記表布１１ａの裏側に配設した形態のマッサージ機構２ａである。
【００２８】
また、前記複数の膨縮袋２１ａは、使用者の頸や肩、また背部や腰部、それに大腿部や下腿部に夫々対応するように設けられ、それら使用者の各部位に対して押圧マッサージや挟圧マッサージを行ったり、またはストレッチやひねり作用をもたらす膨縮動作を行ったりする事が可能である。
【００２９】
尚、前記マッサージ機構２ａは、前記膨縮袋２１ａによるマッサージに限らず、他にもバイブレータなどの振動部材や、施療子が移動しながらマッサージする移動施療部材からなる構成であってもよい。
【００３０】
前記温熱治療機構４ａは、前記マット本体１ａの前記内部層の適層間に設けられるものであるが、一実施例として、送電される電気で抵抗発熱する発熱体を備えたコード状のヒータ４１ａを採用しており、図１に示すように、該ヒータ４１ａは、前記マット本体１ａの適層間に、蛇行状に配置して構成している。
【００３１】
尚、図示しないが、前記ヒータ４１ａは、コード状に限らず、面状に形成された面状ヒータであってもよい。
【００３２】
前記電位治療機構３ａは、前記温熱治療機構４ａと同様、前記マット本体１ａの前記内部層の適層間に設けられ、電位を生じさせる電位線（図示せず）からなるもので、前記コード状のヒータ４１ａの内部に絶縁層（図示せず）を介して配設したものを採用している。尚、該ヒータ４１ａとは別に該電位治療機構３ａを設けてもよい。
【００３３】
前記リモートコントロール装置５ａは、前記マット本体１ａから配線ケーブル５１ａを介して分離して設けられており、その表面には、前記各マッサージ機構２ａ、電位治療機構３ａ、温熱治療機構４ａの全機構やマット本体１ａにおける全機能を、使用者が選択するためのキー操作部５２ａ及び液晶などの表示部５３ａを備えている。
【００３４】
また、図１に示すように、前記リモートコントロール装置５ａの内部には、電子回路で構成された制御手段７ａを設けており、該制御手段７ａは、前記キー操作部５２ａから入力された信号により、前記マット本体１ａにおける前記全機構や全機能を制御するためのものである。また、マット本体１ａにおける前記全機構や全機能を一定の動作プログラムによって作動させる場合も同様に、該制御手段７ａにより動作プログラムの実行を制御するよう構成できる。
【００３５】
前記キー操作部５２ａには、図５に示すように、電源入切キー５２１ａ、マッサージ関連キー５２２ａ、電位・温熱関連キー５２３ａが設けられている。
【００３６】
前記電源入切キー５２１ａは、前記電源ユニット６ａの主電源スイッチ６１ａが電源入の場合にのみ作動するようにしており、さらに電源入切キー５２１ａが電源入の場合にのみ、マッサージ関連キー５２２ａ、電位・温熱関連キー５２３ａが作動するように構成している。
【００３７】
前記マッサージ関連キー５２２ａは、前記マッサージ機構２ａにおける全機能を選択または設定するためのものであり、また、前記電位・温熱関連キー５２３ａは、前記電位治療機構３ａと前記温熱治療機構４ａの各全機能を選択または設定するためのものである。
【００３８】
本発明の健康マットは、図３及び図５に示すように、前記リモートコントロール装置５ａに発光体５４ａを具備しており、前記マット本体１ａの人体平均手長範囲の外周側面部１２ａに発光体５４ａを発光させる発光体作動スイッチ８ａを設け、該発光体作動スイッチ８ａに対する使用者の手の接触によりこれを作動させて発光体５４ａが発光するように構成したものである。
【００３９】
この人体平均手長範囲とは、前記マット本体１ａの中央において、平均身長または平均手長の使用者が、伏臥状態または仰臥状態で前記外周側面部１２ａに手が接触できる範囲の事である。
【００４０】
日本人の実測データによると、身長が１８５センチの男性において、直立して腕を垂下させた状態で肩部上面から指先までの長さは約７７センチであり、また、身長が１４５センチの女性においては、その長さが約６０センチとなる。すなわち、肩部上面から指先までの長さを１とすると、身長は約２．４となる比率である。男性の平均身長を１７０センチ、女性の平均身長を１５８センチとすると、男女合わせた平均身長は１６４センチとなり、この１６４センチを本発明の健康マットで使用する使用者の平均身長とすると、肩部上面から指先までの長さは約６８センチとなり、これを人体平均手長とする事ができる。
【００４１】
前記人体平均手長範囲内において、矩形状の前記マット本体１ａの中央に伏臥または仰臥した使用者にとって、前記外周側面部１２ａにおける最も離れている部分とは、マット本体１ａの使用者頭部側の左右両隅角であり、該左右両隅角の外周側面部１２ａの部分に人体平均手長の使用者の手が接触できるように、マット本体１ａの平面形状を規定する事ができる。
【００４２】
図５の形態の前記発光体５４ａは、リモートコントロール装置５ａの上端部に配設されている。該発光体５４ａの表面を球面状に形成すれば、発光する光の視認性を高める事ができる。
【００４３】
前記リモートコントロール装置５ａに具備した前記発光体５４ａとして、例えば、高輝度ＬＥＤなどを採用する事ができるが、発光素子を備えたものであれば何でもよい。
【００４４】
前記発光体５４ａは、前記制御手段７ａにより制御され、様々な発光態様を可能とするものであってもよい。すなわち、一定の期間において点灯、または点滅させたり、発光色を変化させたりする他、徐々に輝度の増減を行ったり、さらにはランダムに点滅の速度や発光色の変化、また輝度の増減を実施したりする事ができる。また、それらの点滅の速度や発光色の変化、また輝度の増減の各要素を組み合わせる事も可能である。
【００４５】
前記発光体作動スイッチ８ａは、使用者が前記マット本体１ａの外周側面部１２ａに触れて、前記発光体５４ａが発光するものであればどんな形態のものでもよいが、例えば、従来のタッチ電極を備えたタッチスイッチを採用し、該タッチスイッチを前記マット本体１ａの外周側面部１２ａ全域に適数設ける事ができる。尚、従来のタッチスイッチには、他にも赤外線タッチスイッチ、光学式タッチスイッチ、感熱式タッチスイッチなどがあり、適宜使用できる。
【００４６】
また、本発明の健康マットは、図４に示すように、前記発光体５４ａが、発光体作動スイッチ８ａが作動したときに発光状態を維持し、所定時間経過後に発光状態が自動停止して消灯状態にすることができるよう構成している。この構成により、発光体５４ａが不必要に発光を継続する事なく、省電力となる。
【００４７】
さらに、図１２に示すのは、前記リモートコントロール装置５ａに、該リモートコントロール装置５ａの発光体５４ａを発光させる発光体作動スイッチ８ａが設けられた構成である。この構成により、使用者が該リモートコントロール装置５ａの操作中に所定時間が経過して、前述した省電力機能により前記発光体５４ａが消灯し、キー操作部５２ａが暗くて見えにくくなった場合、使用者がわざわざマット本体１ａの外周側面部１２ａに設けた前記発光体作動スイッチ８ａに手を伸ばさなくても、手元のリモートコントロール装置５ａに設けた発光体作動スイッチ８ａを押して再度発光体５４ａを発光させ、キー操作部５２ａを明るくした状態で操作する事ができる。
【００４８】
図４は、前記発光体作動スイッチ８ａと前記発光体５４ａと前記キー操作部５２ａとの関連動作について説明したものである。発光体作動スイッチ８ａが無作動の状態では、発光体５４ａは無発光の状態であるが、発光体作動スイッチ８ａが作動すれば、該発光体５４ａは発光する事になる。
【００４９】
また、前記発光体５４ａの発光・無発光の状態に関係なく、前記キー操作部５２ａにおける前記各電源入切キー５２１ａ、マッサージ関連キー５２２ａ、電位・温熱関連キー５２３ａのうち、最後にいずれかのキーを操作して無操作になった時点から所定時間経過するまで発光体５４ａは発光状態を維持し、該所定時間経過後に発光体５４ａが自動的に消灯（無発光）するようにしている。
【００５０】
さらに、前記発光体５４ａが無発光になっても、再度前記各電源入切キー５２１ａ、マッサージ関連キー５２２ａ、電位・温熱関連キー５２３ａのうち、いずれかのキーの操作を開始すると同時に、発光体５４ａは再度発光するよう構成する事ができる。
【００５１】
図６に示すのは、前記リモートコントロール装置５ａの側面部に発光体５４ａを設けた構成である。図面の形態はリモートコントロール装置５ａの上半分における左右側面部及び上端側面部に連続的に発光体５４ａを設けるようにしたものである。このような部分に発光体５４ａを設ける事により、発光体５４ａの光が広範囲に及ぶようにする事ができる。
【００５２】
さらに、図７に示すのは、前記キー操作部５２ａの全範囲が前記発光体５４ａにより発光するよう構成したものである。
【００５３】
前記キー操作部５２ａは、タッチパネルキーの形態であれば望ましい。前記発光体５４ａがタッチパネルの下部から発光して、該タッチパネルの表面に印字された非透過性の各文字をくっきりと映し出す事ができ、視認性を高められる。
【００５４】
図８に示すように、前記各電源入切キー５２１ａ、マッサージ関連キー５２２ａ、電位・温熱関連キー５２３ａの各キーを構成する各ボタン自体を発光させる発光体５４ａを、該各ボタンの夫々に内設するよう構成してもよい。
【００５５】
このように構成する事により、前記発光体５４ａが発光した時、使用者が前記リモートコントロール装置５ａの存在場所を認知するだけでなく、キー操作部５２ａの各キーの操作を行い易くする事ができる。
【００５６】
また、このような構成の前記発光体５４ａは、前記各電源入切キー５２１ａ、マッサージ関連キー５２２ａ、電位・温熱関連キー５２３ａの操作順序を示す発光形態であってもよい。
【００５７】
例えば、使用者が前記リモートコントロール装置５ａを使用するにあたって、まず最初に、前記電源入切キー５２１ａを押すよう促す事ができる。
【００５８】
すなわち、使用者が前記発光体作動スイッチ８ａを作動させると共に、前記各電源入切キー５２１ａ、マッサージ関連キー５２２ａ、電位・温熱関連キー５２３ａの全キーが発光した図８に示す形態と、電源入切キー５２１ａのみの発光した図９に示す形態とが、一定期間交互になるようにして前記発光体５４ａを発光させれば、使用者に電源入切キー５２１ａを目立つようにする事ができ、使用者は最初に該電源入切キー５２１ａを押すよう促せる。
【００５９】
さらに、使用者が前記電源入切キー５２１ａを押した後、次に操作するキーを、前記発光体５４ａにより知らせるよう構成してもよい。
例えば、前記マッサージ関連キー５２２ａの全てを発光させた図１０に示す形態と、前記電位・温熱関連キー５２３ａの全てを発光させた図１１に示す形態とが、一定期間交互になるようにして前記発光体５４ａを発光させれば、使用者にとってマッサージ関連キー５２２ａと電位・温熱関連キー５２３ａとの区別がし易くなる。
【００６０】
尚、前記マッサージ関連キー５２２ａまたは前記電位・温熱関連キー５２３ａのどちらかのキーを押した場合、所定時間は、押した側の関連キー全体が発光を継続するようにしてもよい。該所定時間経過後は、発光していた関連キーが消灯すると共に、無発光の他側の関連キー全体が所定時間発光を継続するよう構成する事ができる。
【００６１】
さらに、図１に示すように、前記リモートコントロール装置５ａの内部に振動部材９ａを内蔵してもよい。該振動部材９ａは、例えば既存のバイブレータで構成する事ができる。
【００６２】
前記振動部材９ａは、前記発光体５４ａの発光と同時に作動するよう構成してもよい。そうすれば、使用者は発光体５４ａの発光が作用を及ぼす視覚だけでなく、該振動部材９ａの振動が作用を及ぼす聴覚や触覚によって、前記リモートコントロール装置５ａの存在場所を認知する事が可能となるのである。
【００６３】
または、前記マット本体１ａの外周側面部１２ａに設けた発光体作動スイッチ８ａを使用者が一回目に触れば、前記発光体５４ａのみが発光し、次いで発光体作動スイッチ８ａを二回目として触れば、該発光体５４ａの発光と共に前記振動部材９ａが作動するようにしてもよい。
【００６４】
さらには、使用者が前記リモートコントロール装置５ａにおいて、前記発光体５４ａと前記振動部材９ａの使用・不使用の選択が行えるようにする事もできる。
【図面の簡単な説明】
【００６５】
【図１】本発明の健康マットの一実施形態を示す斜視図である。
【図２】本発明の健康マットの一実施形態を示す使用状態説明図である。
【図３】本発明の健康マットの一実施形態を示す使用状態説明図である。
【図４】本発明の健康マットにおける発光体作動スイッチとリモートコントロール装置の発光体及びキー操作部との関連動作に関する一実施形態を示すブロック図である。
【図５】本発明の健康マットにおける発光体を備えたリモートコントロール装置の一実施形態を示す正面説明図である。
【図６】本発明の健康マットにおける発光体を備えたリモートコントロール装置の一実施形態を示す正面説明図である。
【図７】本発明の健康マットにおける発光体を備えたリモートコントロール装置の一実施形態を示す正面説明図である。
【図８】本発明の健康マットにおける発光体を備えたリモートコントロール装置の一実施形態を示す正面説明図である。
【図９】本発明の健康マットにおける発光体を備えたリモートコントロール装置の一実施形態を示す正面説明図である。
【図１０】本発明の健康マットにおける発光体を備えたリモートコントロール装置の一実施形態を示す正面説明図である。
【図１１】本発明の健康マットにおける発光体を備えたリモートコントロール装置の一実施形態を示す正面説明図である。
【図１２】本発明の健康マットにおける発光体作動スイッチを備えたリモートコントロール装置の一実施形態を示す正面説明図である。
【図１３】従来技術を示す参考図である。
【図１４】従来技術を示す参考図である。
【図１５】従来技術を示す参考図である。
【符号の説明】
【００６６】
１ａ  マット本体
１１ａ  表布
１２ａ  外周側面部
２ａ  マッサージ機構
２１ａ  膨縮袋
２２ａ  空気給排装置
３ａ  電位治療機構
４ａ  温熱治療機構
４１ａ  ヒータ
５ａ  リモートコントロール装置
５１ａ  配線ケーブル
５２ａ  キー操作部
５２１ａ  電源入切キー
５２２ａ  マッサージ関連キー
５２３ａ  電位・温熱関連キー
５３ａ  表示部
５４ａ  発光体
６ａ  電源ユニット
６１ａ  主電源スイッチ
７ａ  制御手段
８ａ  発光体作動スイッチ
９ａ  振動部材
【図１】
2008036093.tif 000003
【図２】
2008036093.tif 000004
【図３】
2008036093.tif 000005
【図４】
2008036093.tif 000006
【図５】
2008036093.tif 000007
【図６】
2008036093.tif 000008
【図７】
2008036093.tif 000009
【図８】
2008036093.tif 000010
【図９】
2008036093.tif 000011
【図１０】
2008036093.tif 000012
【図１１】
2008036093.tif 000013
【図１２】
2008036093.tif 000014
【図１３】
2008036093.tif 000015
【図１４】
2008036093.tif 000016
【図１５】
2008036093.tif 000017